(57)【特許請求の範囲】
【請求項１】
管路内にケーブルが敷設され、その管路の管路口を止水するケーブル用管路口の止水装置であって、
ケーブルを挿通させるブロック体ケーブル挿通孔および締付ボルトを挿通させるブロック体ボルト挿通孔が設けられ、挿入方向と直角方向に少なくとも３つ以上に所定の厚み幅で分割された状態で管路内に配置されるゴム製のシールブロック体と、
該シールブロック体の前後に備えられ、ケーブルを挿通させる締付盤ケーブル挿通孔および前記締付ボルトを挿通させる締付盤ボルト挿通孔が設けられた締付盤と、を有し、
前記シールブロック体は、挿入方向と直角方向に分割された直角分割シールブロック体のそれぞれ隣り合う直角分割シールブロック体のゴム硬度を隣りの直角分割シールブロック体のゴム硬度より硬く、軟らかくと交互に配列させ、
隣りの直角分割シールブロック体よりゴム硬度が硬い硬直角分割シールブロック体の厚み幅を該隣りのゴム硬度が軟らかい軟直角分割シールブロック体の厚み幅より大きくすることにより、軟直角分割シールブロック体のケーブルに接触した部分が隣の硬直角分割シールブロック体のさらに隣の軟直角分割シールブロック体に衝突しにくくなり、軟直角分割シールブロック体の周面が傷つけられず、シールブロック体の周辺からの漏水をなくすることができることを特徴とするケーブル用管路口の止水装置。
【請求項２】
前記シールブロック体および前記締付盤は、挿入方向にそれぞれ２つ以上に分割され、
前記硬直角分割シールブロック体と前記軟直角分割シールブロック体は、挿入方向の分割位置を異ならして管路内に配置され、
前記締付盤の挿入方向の分割位置と前記硬直角分割シールブロック体の挿入方向の分割位置を略同一にして管路内に配置させることを特徴とする請求項１記載のケーブル用管路口の止水装置。
【請求項３】
前記締付盤は、挿入方向に分割されたそれぞれの分割締付盤に２つ以上の前記締付盤ボルト挿通孔が設けられ、
前記分割締付盤に２つ以上設けられた前記締付盤ボルト挿通孔およびそれら締付盤ボルト挿通孔に対応して設けられた前記ブロック体ボルト挿通孔に前記締付ボルトを挿通させることにより前記締付盤を介し前記シールブロック体が圧接されることを特徴とする請求項２記載のケーブル用管路口の止水装置。
【請求項４】
前記硬直角分割シールブロック体は、ゴム硬度が略７０度の直角分割シールブロック体であり、
前記軟直角分割シールブロック体は、ゴム硬度が略３０度の直角分割シールブロック体であることを特徴とする請求項１〜３のいずれか１項に記載のケーブル用管路口の止水装置。
【発明の詳細な説明】
【技術分野】
【０００１】
本発明は、管路内にケーブルが敷設され、その管路の管路口を止水するケーブル用管路口の止水装置に関する。
【背景技術】
【０００２】
従来から管路内にケーブルが敷設され、その管路の管路口を止水するケーブル用管路口の止水装置が用いられている。
【０００３】
この種のケーブル用管路口の止水装置として、ケーブル類を水封させた状態で挿通孔にて挿通支持させてケーブル用導管内に挿入配置されたゴム製のシールブロック体を、このシールブロック体の前後に配した締付盤を介して圧締ボルト、ナットにて挟み付けて成るケーブル用導管の防水装置であって、シールブロック体を挿入方向と直角に少なくとも二つに分割し、いずれか一方のシールブロック体のゴム硬度を他方のシールブロック体のゴム硬度と異なるようにしたものがあった（たとえば、特許文献１）。このシールブロック体は、挿通孔を外部から、また挿通孔それぞれを連結する開放切込部、連絡切込部を有し、これらの開放切込部、連結切込部それぞれの位置を、前後の他のシールブロック体の開放切込部、連絡切込部それぞれの位置と異なるようにしたものであった。
【先行技術文献】
【特許文献】
【０００４】
【特許文献１】特開２００６−１５８０５７号公報
【発明の概要】
【発明が解決しようとする課題】
【０００５】
従来のケーブル用導管の防水装置では、挿入方向と直角に分割されたゴム硬度が硬いシールブロック体の厚み幅をその隣合うゴム硬度が軟らかいシールブロック体の厚み幅より狭くしているが、これは管路内面及びケーブルとの接触面を増やすためであり、ケーブル特有の熱伸縮に対応したものではなかった。その結果ケーブルが熱伸縮して挿通孔内を長手方向に移動すると、軟らかいシールブロック体のケーブル用導管に接触した部分が、隣の硬いシールブロック体のさらに隣の軟らかいシールブロック体に衝突することにより軟らかいシールブロック体の周面（円周部分）が傷つけられ、シールブロック体の周辺から漏水するという問題があった（図１１参照）。ここで、図１１は、ケーブルが熱伸縮した場合の従来の軟直角分割シールブロック体の変形状態を示す図である。
【０００６】
本発明は上記問題点に鑑みてなされたもので、ケーブルが熱伸縮して挿通孔内を長手方向に移動しても、シールブロック体の周辺からの漏水をなくし、ケーブルが敷設された管路の管路口を止水することができるケーブル用管路口の止水装置を提供することを目的とする。
【課題を解決するための手段】
【０００７】
上記課題を解決し上記目的を達成するために、本発明のうち第１の態様に係るものは、管路内にケーブルが敷設され、その管路の管路口を止水するケーブル用管路口の止水装置であって、ケーブルを挿通させるブロック体ケーブル挿通孔および締付ボルトを挿通させるブロック体ボルト挿通孔が設けられ、挿入方向と直角方向に少なくとも３つ以上に所定の厚み幅で分割された状態で管路内に配置されるゴム製のシールブロック体と、シールブロック体の前後に備えられ、ケーブルを挿通させる締付盤ケーブル挿通孔および締付ボルトを挿通させる締付盤ボルト挿通孔が設けられた締付盤と、を有し、シールブロック体は、挿入方向と直角方向に分割された直角分割シールブロック体のそれぞれ隣り合う直角分割シールブロック体のゴム硬度を隣りの直角分割シールブロック体のゴム硬度より硬く、軟らかくと交互に配列させ、隣りの直角分割シールブロック体よりゴム硬度が硬い硬直角分割シールブロック体の厚み幅を隣りのゴム硬度が軟らかい軟直角分割シールブロック体の厚み幅より大きくすることにより、軟直角分割シールブロック体のケーブルに接触した部分が隣の硬直角分割シールブロック体のさらに隣の軟直角分割シールブロック体に衝突しにくくなり、軟直角分割シールブロック体の周面が傷つけられず、シールブロック体の周辺からの漏水をなくすることができることを特徴とする。
【０００８】
シールブロック体のゴム硬度を硬く、軟らかくとそれぞれ交互に配列した状態で締付盤を用いて締め付けると、軟直角分割シールブロック体は硬直角分割シールブロック体より径方向に膨張拡大する。この状態で、ケーブルが熱伸縮して挿通孔内を長手方向に移動すると、軟直角分割シールブロック体もケーブルの移動に伴って移動することになり、軟直角分割シールブロック体のケーブルに接触した部分が隣の硬直角分割シールブロック体のさらに隣の軟直角分割シールブロック体に衝突することにより軟直角分割シールブロック体の周面（円周部分）が傷つけられることになる。本発明によれば、硬直角分割シールブロック体の厚み幅をその隣りの軟シールブロックの厚み幅より大きくしているので、ケーブルが熱伸縮して挿通孔内を長手方向に移動しても、軟直角分割シールブロック体のケーブルに接触した部分が隣の硬直角分割シールブロック体のさらに隣の軟直角分割シールブロック体に衝突しにくくなり、軟直角分割シールブロック体の周面が傷つけられず、シールブロック体の周辺からの漏水をなくすることができる。これにより、シールブロック体の止水効果を向上させることができる。
【０００９】
本発明のうち第２の態様に係るものは、第１の態様に係るケーブル用管路口の止水装置であって、シールブロック体および締付盤は、挿入方向にそれぞれ２つ以上に分割され、硬直角分割シールブロック体と軟直角分割シールブロック体は、挿入方向の分割位置を異ならして管路内に配置され、締付盤の挿入方向の分割位置と硬直角分割シールブロック体の挿入方向の分割位置を略同一にして管路内に配置させることを特徴とするものである。
【００１０】
本発明によれば、締付盤の挿入方向の分割位置と硬直角分割シールブロック体の挿入方向の分割位置を略同一にしているので、締付盤の締付力が直接硬直角分割シールブロック体に伝わり、締付盤の締付力を硬直角分割シールブロック体に効率よく伝えることができる。また、硬直角分割シールブロック体の分割位置と軟直角分割シールブロック体の分割位置を異ならしているので、硬直角分割シールブロック体の締付力が隣りの軟直角分割シールブロック体に伝達し、軟直角分割シールブロック体全体に万遍なく伝えることができる。これにより、軟直角分割シールブロック体内の締付力の応力分布差が少なくなり、シールブロック体の止水効果を向上させることができる。
【００１１】
本発明のうち第３の態様に係るものは、第２の態様に係るケーブル用管路口の止水装置であって、締付盤は、挿入方向に分割されたそれぞれの分割締付盤に２つ以上の締付盤ボルト挿通孔が設けられ、分割締付盤に２つ以上設けられた締付盤ボルト挿通孔およびそれら締付盤ボルト挿通孔に対応して設けられたブロック体ボルト挿通孔に締付ボルトを挿通させることにより締付盤を介しシールブロック体が圧接されることを特徴とするものである。
【００１２】
本発明によれば、分割締付盤に２つ以上設けられた締付盤ボルト挿通孔およびそれら締付盤ボルト挿通孔に対応して設けられたブロック体ボルト挿通孔に締付ボルトを挿通させることにより、分割締付盤全体に締付ボルトの締付力を満遍なく伝えることができ、軟直角分割シールブロック体内の締付力の応力分布差がさらに少なくなり、シールブロック体の止水効果を向上させることができる。
【００１３】
本発明のうち第４の態様に係るものは、第１〜３のいずれかの態様に係るケーブル用管路口の止水装置であって、硬直角分割シールブロック体は、ゴム硬度が略７０度の直角分割シールブロック体であり、軟直角分割シールブロック体は、ゴム硬度が略３０度の直角分割シールブロック体であることを特徴とするものである。
【００１４】
本発明によれば、硬く変形が少ないゴム硬度が略７０度の硬直角分割シールブロック体の隣に、ゴム硬度が略３０度の軟直角分割シールブロック体を配しているので、軟直角分割シールブロック体が硬直角分割シールブロック体に締め付けられることにより締付盤の締付力が軟直角分割シールブロック体全体に波及し、管路内でその径方向に膨張拡大し、管路内周面およびブロック体ケーブル挿通孔に挿通されたケーブル外周面に各々強く押圧することができる。これにより、シールブロック体の止水効果を向上させることができる。
【発明の効果】
【００１５】
以上のように本発明のケーブル用管路口の止水装置によれば、ケーブルが熱伸縮して挿通孔内を長手方向に移動しても、シールブロック体の周辺からの漏水をなくすことができ、ケーブルが敷設された管路の管路口を止水することができる。
【図面の簡単な説明】
【００１６】
【図１】本発明の一の実施形態におけるケーブル用管路口の止水装置の設置状況を示す概略図である。
【図２】本発明の第１の実施形態におけるケーブル用管路口の止水装置の分解斜視図である。
【図３】（ａ）  同ケーブル用管路口の止水装置の側面図である。            （ｂ）  同ケーブル用管路口の止水装置の正面図である。
【図４】同ケーブル用管路口の止水装置のシールブロック体の正面図である。
【図５】同ケーブル用管路口の止水装置を管路に取付けた状態を示す一部断面図である。
【図６】（ａ）  ケーブルが熱伸縮していない状態を示す図である。（ｂ）  ケーブルが冷えて縮んだ場合の軟直角分割シールブロック体の変形状態を示す図である。（ｃ）  ケーブルが熱で伸びた場合の軟直角分割シールブロック体の変形状態を示す図である。
【図７】本発明の第２の実施形態におけるケーブル用管路口の止水装置の分解斜視図である。
【図８】（ａ）  同ケーブル用管路口の止水装置の側面図である。            （ｂ）  同ケーブル用管路口の止水装置の正面図である。
【図９】同ケーブル用管路口の止水装置のシールブロック体の正面図である。
【図１０】同ケーブル用管路口の止水装置を管路に取付けた状態を示す一部断面図である。
【図１１】ケーブルが熱伸縮した場合の従来の軟直角分割シールブロック体の変形状態を示す図である。
【発明を実施するための形態】
【００１７】
以下、本発明のケーブル用管路口の止水装置の一実施形態について図面を参照にしながら説明する。図１は本発明の一実施形態におけるケーブル用管路口の止水装置の設置状況を示す概略図である。
【００１８】
図１に示すように、ケーブル用管路口の止水装置１は、管路２内にケーブル（電線）３が敷設され、その管路２の管路口４を止水するものである。具体的には、地中に埋設された管路２に敷設されたケーブル３の適宜長さの箇所にマンホール５（人孔）が設けられているが、そのマンホール５への管路２の開口部である管路口４からマンホール５内に水が入るのを防ぐものである。ここで、ケーブル接続部３４は、マンホール５内で左右のケーブル３を接続する部材であり、熱伸縮吸収部３３は、ケーブル３が熱伸縮した場合に、そのケーブル３の熱伸縮を吸収する構造である。
【００１９】
次に、本発明の第１の実施形態におけるケーブル用管路口の止水装置１の構造について説明する。ここで、図２は本発明の第１の実施形態におけるケーブル用管路口の止水装置の分解斜視図であり、図３（ａ）は同ケーブル用管路口の止水装置の側面図であり、図３（ｂ）は同ケーブル用管路口の止水装置の正面図であり、図４は同ケーブル用管路口の止水装置のシールブロック体の正面図であり、図５は同ケーブル用管路口の止水装置を管路に取付けた状態を示す一部断面図である。ここで、本実施形態では、電気を送電する単芯の送電ケーブル（ＣＶケーブル）に用いられるケーブル用管路口の止水装置１について説明する。
【００２０】
図２に示すように、ケーブル用管路口の止水装置１は、シールブロック体６（６ａ、６ｂ、６ｃ、６ｄ、６ｅ）と、締付盤７（７ａ、７ｂ）と、締付ボルト８とを備えている。
【００２１】
シールブロック体６は、エチレンプロピレンゴムを材質とし円柱形状に形成され、送電ケーブルなどのケーブル３が挿通されるブロック体ケーブル挿通孔９および締付ボルト８が挿通されるブロック体ボルト挿通孔１０がそれぞれ設けられている（図４参照）。そして、管路２への挿入方向（管路方向に沿う方向）と直角方向に５つに分割された状態で管路２内に配置される。なお、本実施形態では、５つに分割された状態で管路２内に配置させたが、これに限らず、３つ以上（例えば、３つ、７つなど）に分割された状態で管路２内に配置させてもよい。ここで、シールブロック体６に設けられたブロック体ボルト挿通孔１０は、シールブロック体６の円周方向等間隔で形成されている。
【００２２】
このシールブロック体６は、軟直角分割シールブロック体６ａのゴム硬度を略３０度、硬直角分割シールブロック体６ｂのゴム硬度を略７０度、軟直角分割シールブロック体６ｃのゴム硬度を略３０度、硬直角分割シールブロック体６ｄのゴム硬度を略７０度、軟直角分割シールブロック体６ｅのゴム硬度を略３０度とし、それぞれ隣りの直角分割シールブロック体６ａ、６ｂ、６ｃ、６ｄ、６ｅのゴム硬度より硬く、軟らかくなるように交互に配列している（図３（ａ）参照）。なお、本実施形態では、隣りの軟直角分割シールブロック体６ａ、６ｃ、６ｅよりゴム硬度が硬い硬直角分割シールブロック体６ｂ、６ｄのゴム硬度を略７０度とし、隣りの硬直角分割シールブロック体６ｂ、６ｄよりゴム硬度が軟らかい軟直角分割シールブロック体６ａ、６ｃ、６ｅのゴム硬度を略３０度としたが、これに限らず、軟直角分割シールブロック体６ａ、６ｃ、６ｅのゴム硬度は比較的軟らかいゴム硬度であれば他のゴム硬度でもよく、また硬直角分割シールブロック体６ｂ、６ｄのゴム硬度は比較的硬いゴム硬度であれば他のゴム硬度にしてもよい。また、各硬直角分割シールブロック体６ｂ、６ｄ、各軟直角分割シールブロック体６ａ、６ｃ、６ｅのゴム硬度をそれぞれ異なったゴム硬度にしてもよい。
【００２３】
また、それぞれの軟直角分割シールブロック体６ａ、６ｃ、６ｅ、硬直角分割シールブロック体６ｂ、６ｄは、挿入方向にそれぞれ２つに分割され、その分割された分割シールブロック体を組み合わせて各軟直角分割シールブロック体６ａ、６ｃ、６ｅ、各硬直角分割シールブロック体６ｂ、６ｄが構成されている（図４参照）。なお、本実施形態では、シールブロック体６を挿入方向に２つに分割させたが、これに限らず、シールブロック体６を挿入方向に２つ以上（例えば、３つ）に分割したものであれば分割の数は問わない。また、シールブロック体６は、硬直角分割シールブロック体６ｂ、６ｄの厚み幅を軟直角分割シールブロック体６ａ、６ｃ、６ｅの厚み幅より大きくしている（図３（ａ）参照）。
【００２４】
締付盤７（前方締付盤７ａ、後方締付盤７ｂ）は、ナイロンモノマーを大気圧下で重合・成型(キャスト）したＭＣナイロン（登録商標）を材質とし円柱形状に形成され、ケーブル３が挿通される締付盤ケーブル挿通孔１１および締付ボルト８が挿通される４つの締付盤ボルト挿通孔１２がそれぞれ設けられている（図２参照）。そして、締付盤７は挿入方向にそれぞれ２つに分割され、その分割された分割締付盤を組み合わせて締付盤７が構成されている（図３（ｂ）参照）。ここで、締付盤７に設けられた締付盤ボルト挿通孔１２は、締付盤７の円周方向等間隔で形成されている。また、管路挿入阻止部材３５は、ケーブル用管路口の止水装置１の外周を管路２より大きくして、ケーブル用管路口の止水装置１が管路２の奥に入り込まないようにするためのものである。なお、本実施形態では、締付盤７を挿入方向に２つに分割させたが、これに限らず、締付盤７を挿入方向に２つ以上（例えば、３つ）に分割したものであれば分割の数は問わない。また、本実施形態では、各分割締付盤に４つの締付盤ボルト挿通孔１２を設けたが、これに限らず、各分割締付盤に２つ以上の締付盤ボルト挿通孔１２が設けたものであれば締付盤ボルト挿通孔１２の数は問わない。
【００２５】
ケーブル用管路口の止水装置１は、後方の後方締付盤７ｂの締付盤ケーブル挿通孔１１、シールブロック体６のブロック体ケーブル挿通孔９、前方の前方締付盤７ａの締付盤ケーブル挿通孔１１にそれぞれケーブル３を挿通し、それから、シールブロック体６のブロック体ボルト挿通孔１０および締付盤７の締付盤ボルト挿通孔１２にそれぞれ締付ボルト８を挿入して、締付盤７によりシールブロック体６が締め付けられる（図２参照）。これにより、締付盤７により軟直角分割シールブロック体６ａ、６ｃ、６ｅが径方向に膨張拡大され、管路２の内周面に強く圧接される（図５参照）。なお、本実施形態では、締付盤７の締付盤ボルト挿通孔１２の内周面に螺子孔を刻設して、締付ボルト８で締め付けるようにしたが、これに限らず、ボルト挿通孔１２の内周面に螺子孔を刻設せず、締付ボルト８とナット（図示略）により締め付けるようにしてもよい。
【００２６】
図３（ａ）に示すように、ぞれぞれ２つに分割されている硬直角分割シールブロック体６ｂ、６ｄと軟直角分割シールブロック体６ａ、６ｃ、６ｅは、挿入方向のそれぞれの分割位置を異ならして管路２内に配置されている。具体的には、硬直角分割シールブロック体６ｂ、６ｄのブロック体ボルト挿通孔１０と軟直角分割シールブロック体６ａ、６ｃ、６ｅのブロック体ボルト挿通孔１０とを１つずつずらして管路２内に配置されている。そして、締付盤７の挿入方向の分割位置と硬直角分割シールブロック体６ｂ、６ｄの分割位置を略同一にして管路２内に配置されている。このように、締付盤７の挿入方向の分割位置と硬直角分割シールブロック体６ｂ、６ｄの挿入方向の分割位置を略同一にしているので、締付盤７の締付力が直接硬直角分割シールブロック体６ｂ、６ｄに伝わり、締付盤７の締付力を硬直角分割シールブロック体６ｂ、６ｄに効率よく伝えることができる。また、硬直角分割シールブロック体６ｂ、６ｄの分割位置と軟直角分割シールブロック体６ａ、６ｃ、６ｅの分割位置を異ならしているので、硬直角分割シールブロック体６ｂ、６ｄの締付力が隣りの軟直角分割シールブロック体６ａ、６ｃ、６ｅに伝達し、軟直角分割シールブロック体６ａ、６ｃ、６ｅに部分的な応力分布が生じないようにすることができる。これにより、軟直角分割シールブロック体６ａ、６ｃ、６ｅ内の締付力の応力分布差が少なくなり、シールブロック体６の止水効果を向上させることができる。また、２つに分割された分割締付盤に４つの締付盤ボルト挿通孔１２およびそれら締付盤ボルト挿通孔１２に対応して設けられたブロック体ボルト挿通孔１０に締付ボルト８を挿通することにより、部分的な応力分布を生じさせず、分割締付盤７全体に締付ボルト８の締付力を満遍なく伝えることができ、軟直角分割シールブロック体６ａ、６ｃ、６ｅ内の締付力の応力分布差をさらに少なくすることができる。
【００２７】
次に、シールブロック体６が締付ボルト８により前後方向に締め付けられた状態で、ケーブル３が熱伸縮してブロック体ケーブル挿通孔９内を長手方向に移動する場合について図６を参照にして説明する。ここで、図６（ａ）はケーブルが熱伸縮していない状態を示す図であり、図６（ｂ）はケーブルが冷えて縮んだ場合の軟直角分割シールブロック体の変形状態を示す図であり、図６（ｃ）はケーブルが熱で伸びた場合の軟直角分割シールブロック体の変形状態を示す図である。
【００２８】
シールブロック体６が締付ボルト８により前後方向に締め付けられた状態で、ケーブル３が熱伸縮してブロック体ケーブル挿通孔９内を長手方向に移動すると、軟直角分割シールブロック体６ａ、６ｃ、６ｅもケーブル３の移動に伴って移動する。この場合、軟直角分割シールブロック体６ａ、６ｃ、６ｅの円周面のケーブル３に接触した部分はケーブル３に引き摺られ、ケーブル３の外周面と硬直角分割シールブロック体６ｂ、６ｄの円周面の間に入り込む。本実施形態では、ケーブル３が熱伸縮してブロック体ケーブル挿通孔９内を長手方向に移動し、軟直角分割シールブロック体６ａ、６ｃ、６ｅの円周面がケーブル３の外周面と硬直角分割シールブロック体６ｂ、６ｄの円周面の間に入り込んでも、硬直角分割シールブロック体６ｂ、６ｄの厚み幅をその隣りの軟直角分割シールブロック体６ａ、６ｃ、６ｅの厚み幅より大きくしているので、隣の硬直角分割シールブロック体６ｂ、６ｄのさらに隣の軟直角分割シールブロック体６ａ、６ｃ、６ｅに衝突しにくくなり、軟直角分割シールブロック体同士が衝突することにより軟直角分割シールブロック体６ａ、６ｃ、６ｅの周面が傷つけられにくくなる。これにより、シールブロック体６の周辺からの漏水を防止することができる。
【００２９】
次に、本発明のケーブル用管路口の止水装置の第２の実施形態について説明する。図７は本発明の第２の実施形態におけるケーブル用管路口の止水装置の分解斜視図であり、図８（ａ）は同ケーブル用管路口の止水装置の側面図であり、図８（ｂ）は  同ケーブル用管路口の止水装置の正面図であり、図９は同ケーブル用管路口の止水装置のシールブロック体の正面図であり、図１０は同ケーブル用管路口の止水装置を管路に取付けた状態を示す一部断面図である。ここで、第１の実施形態では電気を送電するたとえば単芯の送電ケーブル（ＣＶケーブル）に用いられるケーブル用管路口の止水装置１について説明したが、第２の実施形態では電気を送電する３芯の送電ケーブル（ＣＶＴケーブル）に用いられるケーブル用管路口の止水装置２１について説明する。なお、第２の実施形態では、第１の実施形態と異なる部分についてのみ説明する。
【００３０】
ケーブル２３は、３本のケーブルに撚りを加えて一体化させた３芯の送電ケーブル（ＣＶＴケーブル）である。そして、シールブロック体２６には、３芯のケーブル２３の撚りに合わせて内周面に穴が形成されたブロック体ケーブル挿通孔２９が設けられ（図７、図９参照）、また、締付盤２７（前方締付盤２７ａ、後方締付盤２７ｂ）には、３芯のケーブル２３が挿通される締付盤ケーブル挿通孔３１が設けられている（図７、図８（ｂ）参照）。
【００３１】
そして、後方の後方締付盤２７ｂの締付盤ケーブル挿通孔３１、シールブロック体２６のブロック体ケーブル挿通孔２９、前方の前方締付盤２７ａの締付盤ケーブル挿通孔３１にそれぞれケーブル２３を挿通し、それから、シールブロック体２６のブロック体ボルト挿通孔３０および締付盤２７の締付盤ボルト挿通孔３２にそれぞれ締付ボルト８を挿入して、締付盤２７によりシールブロック体２６が締め付けられる（図７参照）。この３芯のケーブル２３の中心部の隙間には芯材（図示略）が挟持され、３芯のケーブル２３の隙間から漏水するのを防止している（図８（ｂ）参照）。これにより、締付盤２７により軟直角分割シールブロック体２６ａ、２６ｃ、２６ｅが径方向に膨張拡大され、管路２の内周面に強く圧接される（図１０参照）。このように構成されたケーブル用管路口の止水装置２１においても、第１の実施形態と同様の作用効果を奏する。
【００３２】
今回開示された実施の形態は、すべての点で例示であって制限的なものではないと考えられるべきである。本発明の範囲は、上記した説明ではなくて特許請求の範囲によって示され、特許請求の範囲と均等の意味および範囲内でのすべての変更が含まれることが意図される。
【符号の説明】
【００３３】
１  ケーブル用管路口の止水装置
２  管路
３  ケーブル
４  管路口
５  マンホール
６  シールブロック体
７  締付盤
８  締付ボルト
９  ブロック体ケーブル挿通孔
１０  ブロック体ボルト挿通孔
１１  締付盤ケーブル挿通孔
１２  締付盤ボルト挿通孔
２１  ケーブル用管路口の止水装置
２３  ケーブル
２６  シールブロック体
２７  締付盤
２９  ブロック体ケーブル挿通孔
３０  ブロック体ボルト挿通孔
３１  締付盤ケーブル挿通孔
３２  締付盤ボルト挿通孔
３３  熱伸縮吸収部
３４  ケーブル接続部
３５  管路挿入阻止部材
【図１】
0005904486.tif 000002
【図２】
0005904486.tif 000003
【図３】
0005904486.tif 000004
【図４】
0005904486.tif 000005
【図５】
0005904486.tif 000006
【図６】
0005904486.tif 000007
【図７】
0005904486.tif 000008
【図８】
0005904486.tif 000009
【図９】
0005904486.tif 000010
【図１０】
0005904486.tif 000011
【図１１】
0005904486.tif 000012